(57)【要約】【課題】折り癖が付きにくい浴室用滑り止めマットを提供する。【解決手段】本発明の浴室用滑り止めマットは、マット本体１と、マット本体１の表面から突出し、マット本体１の表面全面にわたって設けられた複数の凸部２と、複数の凸部２の間で形成され、マット本体１の平面視におけるいずれかの端部から当該端部の反対側の端部に通じる複数の排水溝４とを備える。複数の凸部２の各々は、平面視において異なる方向に延びた３つ以上の延出部２０を有している。延出部２０の各々は、延出部２０の長手方向に平行な一対の対辺２４と、対辺２４に交差する端辺２５とを有している。複数の排水溝４の各々は、一対の対辺２４の少なくとも一方と、当該対辺２４に対向する凸部２との間で構成された部分と、端辺２５と当該端辺２５に対向する凸部２との間で構成された部分とを有する。これにより、複数の排水溝４の各々は、非一直線状に形成されている。【選択図】図１
2018175668.tif 000002
【特許請求の範囲】
【請求項１】
マット本体と、
前記マット本体の表面から突出し、前記マット本体の表面全面にわたって設けられた複数の凸部と、
前記複数の凸部の間で構成され、前記マット本体の平面視におけるいずれかの端部から当該端部の反対側の端部に通じる複数の排水溝と
を備え、
前記複数の凸部の各々は、平面視において異なる方向に延びた３つ以上の延出部を有しており、
前記３つ以上の延出部の各々は、
当該延出部の長手方向に平行な一対の対辺と、
前記一対の対辺に交差する端辺と
を有しており、
前記複数の排水溝の各々は、
前記一対の対辺の少なくとも一方と、当該対辺に対向する凸部との間で構成された部分と、
前記端辺と当該端辺に対向する凸部との間で構成された部分と
を有し、非一直線状に形成されている
ことを特徴とする浴室用滑り止めマット。
【請求項２】
前記延出部の各々の各辺は、隣り合う凸部の対向する辺に対して平行に形成されている
ことを特徴とする請求項１記載の浴室用滑り止めマット。
【請求項３】
前記複数の凸部は、毘沙門亀甲状に形成されている
ことを特徴とする請求項１又は２に記載の浴室用滑り止めマット。
【発明の詳細な説明】
【技術分野】
【０００１】
本発明は、浴室用滑り止めマットに関する。
【背景技術】
【０００２】
特許文献１には、従来の浴室用滑り止めマットが開示されている。この特許文献１記載の浴室用滑り止めマットは、下面（浴室の床に接触する面）と、上面（人の足裏等と接触する面）とが防滑構造体によって覆われている。この防滑構造体によって、床マットを濡れた浴室の床に敷いても、床マットに乗った足や、床マット自体が滑るのを防ぐことができる。
【０００３】
この防滑構造体は、例えば、同じ向きで所定の間隔をおいて平行に形成された複数の平面視Ｖ字状の線状凸部で凸部列を形成し、この凸部列を、凸部列の列方向に直交する方向に一定の間隔をおいて並べることで構成されている。浴室用滑り止めマットは、この凸部列同士の間の隙間が排水溝となることで、効果的な防滑性能を発揮することができる。
【先行技術文献】
【特許文献】
【０００４】
【特許文献１】特開２０１１−１２０８３３号公報
【発明の概要】
【発明が解決しようとする課題】
【０００５】
ところで、この種のマットは、床を清掃等する場合、一時的に退避するために、一方の端部を他方の端部の上方に重なった状態となるように、中間部で曲げて端部同士を重ねることがある。
【０００６】
しかしながら、従来の浴室用滑り止めマットでは、凸部列同士の間で構成された排水溝が一方の端部からその反対側の端部まで真っ直ぐに形成されているため、浴室用滑り止めマットを中間部で曲げた場合に、排水溝の部分で折れ曲がってしまい、いわゆる折り癖がつきやすい。
【０００７】
本発明は、上記事情に鑑みてなされたものであり、その目的とするところは、折り癖が付きにくい浴室用滑り止めマットを提供することにある。
【課題を解決するための手段】
【０００８】
本発明の浴室用滑り止めマットは、マット本体と、前記マット本体の表面から突出し、前記マット本体の表面全面にわたって設けられた複数の凸部と、前記複数の凸部の間で構成され、前記マット本体の平面視におけるいずれかの端部から当該端部の反対側の端部に通じる複数の排水溝とを備え、前記複数の凸部の各々は、平面視において異なる方向に延びた３つ以上の延出部を有しており、前記３つ以上の延出部の各々は、当該延出部の長手方向に平行な一対の対辺と、前記一対の対辺に交差する端辺とを有しており、前記複数の排水溝の各々は、前記一対の対辺の少なくとも一方と、当該対辺に対向する凸部との間で構成された部分と、前記端辺と当該端辺に対向する凸部との間で構成された部分とを有し、非一直線状に形成されていることを特徴とする。
【発明の効果】
【０００９】
本発明の浴室用滑り止めマットによれば、折り癖が付きにくい浴室用滑り止めマットを提供することができる。
【図面の簡単な説明】
【００１０】
【図１】図１は、本発明の一実施形態の浴室用滑り止めマットの平面図である。
【図２】図２は、同上の要部拡大図である。
【図３】図３Ａは、同上のマット本体の上面に設けられた凸部の拡大平面図である。図３Ｂは、同上のマット本体の下面に設けられた凸部の拡大平面図である。
【図４】図４は、同上の浴室用滑り止めマットの中間部で曲げた状態の斜視図である。
【図５】図５は、同上の浴室用滑り止めマットの断面図である。
【図６】図６Ａは、変形例１の浴室用滑り止めマットの要部拡大図である。図６Ｂは、変形例２の浴室用滑り止めマットの要部拡大図である。図６Ｃは、変形例３の浴室用滑り止めマットの要部拡大図である。
【発明を実施するための形態】
【００１１】
本実施形態は、浴室用滑り止めマットに関し、より詳細には、浴室の洗い場や浴槽内の底面等に敷いて使用される浴室用滑り止めマットに関する。以下、本発明の一実施形態について添付図面に基づいて説明する。
【００１２】
本実施形態の浴室用滑り止めマットは、浴室の床面や浴槽の底面等の設置面に敷いて使用される滑り止めマットであり、図１に示すように、平面視略矩形状に形成されている。浴室用滑り止めマットは、弾性変形可能な弾性材により構成されており、エチレンプロピレンゴム（ＥＰＤＭ），シリコンゴム，天然ゴム等のゴムや、エラストマーや軟質樹脂などの合成樹脂等により構成される。浴室用滑り止めマットの硬度は、ＪＩＳ−Ａ硬度が４５〜７５度であることが好ましい。また、浴室用滑り止めマットには、抗菌剤や防カビ剤等の添加剤を添加してもよい。
【００１３】
本実施形態の浴室用滑り止めマットは、上面と下面との両面に防滑構造を有している。上面の防滑構造と、下面の防滑構造は、大部分において同じである。このため、防滑構造の説明については、上面の防滑構造について主に説明し、下面については、異なる部分についてのみ説明して、重複する説明は省略する。浴室用滑り止めマットは、マット本体１と、複数の凸部２と、排水溝４とを備えている。この複数の凸部２と排水溝４とで上述の防滑構造を構成する。
【００１４】
マット本体１は、浴室用滑り止めマットの主体を構成する。マット本体１は、平面視略矩形状に形成されており、厚さｔ（図５参照）が、約１．７ｍｍに形成されている。マット本体１の上面の外周部１１は、外側ほど下面側に位置するように傾斜している。
【００１５】
マット本体１の上面には、複数の凸部２が形成されている。複数の凸部２は、マット本体１の上面の表面全面にわたって設けられている。各凸部２は、マット本体１の表面から突出している。本実施形態の複数の凸部２は、いわゆる毘沙門亀甲（毘沙門亀甲文様）状に形成されている。
【００１６】
ここで、本実施形態の複数の凸部２は、図１に示すように、一部の範囲において形成されていないが、大部分に形成されているため、「表面全面にわたって設けられている」範疇とする。つまり、本実施形態において、「複数の凸部２がマット本体１の表面全面にわたって設けられている」とは、厳密な意味での「表面全面」のみを言うのではなく、防滑性能を発揮できて「表面全面」とみなせる範囲のものを含むとする。
【００１７】
凸部２は、図２に示すように、３つ以上の延出部２０を有しており、本実施形態では３つの延出部２０を有している（これを第１の延出部２１、第２の延出部２２、第３の延出部２３とする）。複数の凸部２は、各凸部２の第１の延出部２１の長手方向（これを第１の方向という）が平行で且つ延出部２１の幅方向の中央が同一直線上に位置するように配置されている。また、他の複数の凸部２は、各凸部２の第２の延出部２２の長手方向（これを第２の方向という）が平行で且つ延出部２１の幅方向の中央が同一直線上に位置するように配置される。また、さらに他の複数の凸部２は、各凸部２の第３の延出部２３の長手方向（これを第３の方向という）が平行で且つ延出部２１の幅方向の中央が同一直線上に位置するように配置される。
【００１８】
図３Ａは、マット本体１の上面に形成された各凸部２のさらなる拡大図である。図３Ａに示すように、３つの延出部２１，２２，２３は、同じ位置から異なる方向に延びており、隣り合う延出部２１，２２，２３の長手方向のなす角αは、平面視で１２０°に形成されている。凸部２は、図心を通る延出部２１，２２，２３の長手方向の直線を対称軸とする線対称の形状に形成されている。
【００１９】
各延出部２１，２２，２３は、一対の対辺２４を有している。各対辺２４は、当該延出部２１，２２，２３の長手方向に平行となるように形成されている。また、各延出部２１，２２，２３の先端は、一対の対辺２４を接続した円弧状の端辺２５によって形成されている。端辺２５は、対辺２４に対して交差する方向に延びている。
【００２０】
図３Ｂは、マット本体１の下面に形成された凸部２の拡大図である。下面の凸部２の形状は、上面の凸部２に比べて、延出部２１，２２，２３の端辺２５が尖頭状に形成されている点で異なっている。下面の凸部２の延出部２１，２２，２３の端辺２５も、一対の対辺２４に交差する方向に延びている。この端辺２５は、直線状の２つの辺（斜辺２６）と、２つの斜辺２６を接続する隅丸辺２７とを有する。斜辺２６は、他の凸部２における延出部２１，２２，２３のいずれかの対辺２４に対して平行である。また、延出部２１，２２，２３の一対の対辺２４は、他の凸部２における延出部２１，２２，２３のいずれかの斜辺２６に対して平行である。このため、マット本体１の下面において、凸部２における延出部２１，２２，２３の各辺は、隣り合う凸部２の対向する辺に対して平行に形成されている。
【００２１】
このような構成の凸部２の間には、複数の排水溝４が形成される。排水溝４は、複数の凸部２の間で構成された凹状の排水路であり、少なくとも、マット本体１の平面視におけるいずれかの端部から当該端部の反対側の端部に通じるように形成されている。本実施形態において、複数の排水溝４は、マット本体１の長手方向に直交する方向（第１の方向）に延びている。本実施形態の排水溝４は、いずれの箇所においても袋小路にならないように形成されており、マット本体１のいずれかの端部に通じている。なお、ここでいう排水溝４は、マット本体１の平面視におけるいずれかの端部から当該端部の反対側の端部に通じる最短の排水溝４をいう。
【００２２】
複数の排水溝４は、マット本体１の長手方向に直交する方向に延びているが、平面視で非一直線状に形成されている。これによって、図４に示すように、浴室用滑り止めマットの端部同士（特に、長手方向の端部同士）を重ねるように、長手方向の中間部を曲げた場合でも、一定以下の曲率に保つことができて、折り筋が付かず、折り癖が付きにくくなる。
【００２３】
なお、図４において、想像線で示す図は、マット本体１の長手方向に直交する方向に延びた排水溝４が平面視で一直線状に形成された従来の浴室用滑り止めマットを示す図である。この従来の浴室用滑り止めマットは、排水溝４が、平面視で、マット本体１の長手方向に直交する方向に一直線状に形成されているため、浴室用滑り止めマットを長手方向の中間部分で曲げた場合、肉厚の薄い排水溝４で屈曲してしまい、折り癖が付きやすい。
【００２４】
ここで、「非一直線状」とは、マット本体１の一方の端部から他方の端部に延びた排水溝４において、排水溝４の幅方向の中心を結ぶ線（中心線）が一直線状ではないことを意味する。本実施形態の排水溝４の中心線は、平面視において一直線状ではなく、浴室用滑り止めマットのいずれかの端部における排水溝４の開口と、当該端部の反対側の端部における開口とを直線で結んだ場合に、当該直線といずれかの凸部２とが重なる。
【００２５】
例えば、図２に示すように、第１の方向に隣り合う凸部２において第３の延出部２３の先端部同士の間には、他の凸部２の第２の延出部２２が入り込んでいる。そして、図３Ａに示すように、この第３の延出部２３の一対の対辺２４のうちの、他の凸部２の第２の延出部２２側の対辺２４は、これに対向する第２の延出部２２との間で排水溝４の一部である第一部４ａを構成する。さらに、当該第３の延出部２３の端辺２５は、これに対向する凸部２との間で排水溝４の一部である第二部４ｂを構成する。第一部４ａと第二部４ｂとは連続しており、これによって、マット本体１の一方の端部（短手方向の一方の端部）から他方の端部（短手方向の他方の端部）に延びた排水溝４が、一直線状にならないように構成されている。
【００２６】
また、本実施形態の浴室用滑り止めマットは、図５に示すように、上面の凸部２（ここでは２ａとする）と、下面の凸部２（ここでは２ｂとする）との突出高さが異なっている。本実施形態において、上面の凸部２ａの高さｈ１は、下面の凸部２ｂの高さｈ２よりも短く形成されている。具体例としては、ｈ１＝0.3ｍｍ，ｔ＝1.7ｍｍ，ｈ２＝0.5ｍｍに形成される。
【００２７】
これにより、設置面に対して面状に接触するマット本体１の下面との間においては、効果的に排水できる一方、足等に対して、部分的に接触するマット本体１の上側においては、突出高さを抑えることで、凸部２ａが欠損するのを抑制できる。
【００２８】
〔変形例〕
上記実施形態の凸部２は、毘沙門亀甲状に形成されていたが、例えば、図６Ａ〜６Ｃに示すような形状であってもよい。以下、これを変形例１〜３という。
【００２９】
変形例１の凸部２は、図６Ａに示すように、上記実施形態の複数の凸部２のうちのいずれかの凸部２の形状が、上記実施形態とは異なっている。変形例１の凸部２は、上記実施形態と同様の形状の第一凸部２８と、第一凸部２８とは異なる形状の第二凸部２９及び第三凸部３０とを備えている。
【００３０】
第二凸部２９及び第三凸部３０は、第一凸部２８を囲むように配置されている。第二凸部２９と第三凸部３０との間には、排水溝４が形成されている。また、第一凸部２８と第二凸部２９との間、第一凸部２８と第三凸部３０との間にも排水溝４が形成されている。排水溝４は、第１の方向において非一直線状に形成されている。
【００３１】
変形例２の凸部２は、図６Ｂに示すように、各凸部２の形状が、上記実施形態と異なっている。変形例２の凸部２は、上記実施形態における凸部２の第１の延出部２１が第１の方向に延びて、隣接する他の凸部２と接続されたような形状に形成されている。各凸部２の間で、排水溝４が形成されている。排水溝４は、第１の方向において非一直線状に形成されている。
【００３２】
変形例３の凸部２は、図６Ｃに示すように、上記実施形態の複数の凸部２のうちのいずれかの凸部２の形状が、上記実施形態とは異なっている。変形例１の凸部２は、上記実施形態と同様の形状の第一凸部２８と、第一凸部２８とは異なる形状の第二凸部２９とを備えている。
【００３３】
第二凸部２９は、第一凸部２８に比べて大きい。第二凸部２９は、変形例１の第二凸部２９及び第三凸部３０と、これらに囲まれた第一凸部２８とが１つにまとめられたような形状に形成されている。排水溝４は、第１の方向において非一直線状に形成されている。
【００３４】
〔応用〕
変形例１〜３の凸部２はいずれも下面の凸部２であるが、上面の凸部２については、変形例１〜３で説明した下面の凸部２と同じ形状であってもよいし、下面の凸部２とは異なる形状であってもよい。
【００３５】
上記実施形態の浴室用滑り止めマットは、上下両面の全ての排水溝４の各々が非一直線状に形成されたが、上下方向のいずれかの面の排水溝４のみ非一直線状に形成し、他方の面の排水溝４については、一直線状に形成してもよい。また、凸部２は、上下両面のうちのいずれかの面のみに設けられてもよい。
【００３６】
上記実施形態の凸部２は３つの延出部を有していたが、変形例１〜３のように３つ以上の延出部を有していてもよい。また、複数の凸部２は、毘沙門亀甲状に限定されない。
【００３７】
上記実施形態の浴室用滑り止めマットは、平面視矩形状の浴室用マットであったが、例えば、長尺の浴室用滑り止めマットをロール状に巻いておき、必要に応じてカットして使用してもよい。また、浴室用滑り止めマットは、平面視矩形状でなくてもよく、例えば、円形や五角形状等であってもよい。
【００３８】
その他、上記実施形態の構成は、本発明の主旨を逸脱しない範囲であれば、適宜設計変更を行うことができる。
【００３９】
〔効果〕
以上説明した上記実施形態および変形例１〜３の浴室用滑り止めマットは、以下に示す特徴を有している。すなわち、浴室用滑り止めマットは、マット本体１と、複数の凸部２と、複数の排水溝４とを備えている。複数の凸部２は、マット本体１の表面から突出し、マット本体１の表面全面にわたって設けられる。複数の排水溝４は、複数の凸部２の間で形成され、マット本体１の平面視におけるいずれかの端部から当該端部の反対側の端部に通じる。複数の凸部２の各々は、平面視において異なる方向に延びた３つ以上の延出部２０を有している。延出部２０の各々は、当該延出部２０の長手方向に平行な一対の対辺２４と、一対の対辺２４に交差する端辺２５とを有している。複数の排水溝４の各々は、一対の対辺２４の少なくとも一方と当該対辺に対向する凸部２との間で構成された部分と、端辺２５と当該端辺２５に対向する凸部２との間で構成された部分とを有する。複数の排水溝４の各々は、非一直線状に形成されている。以下、この特徴を有する浴室用滑り止めマットを第１の態様の浴室用滑り止めマットという。
【００４０】
第１の態様の浴室用滑り止めマットは、複数の排水溝４の各々が非一直線状に形成されているため、浴室用滑り止めマットの中間部を曲げて両端部を重ねた場合、排水溝４に沿って折り曲がりにくく、折り筋が形成されにくい。この結果、第１の態様の浴室用滑り止めマットによれば、折り癖が付きにくい浴室用滑り止めマットとすることができる。
【００４１】
また、第１の態様の浴室用滑り止めマットによれば、凸部２をマット本体１の表面全面にわたって敷き詰めるように形成しやすく、接触面を増やすことができるため、浴室用滑り止めマット全面の滑りにくさを向上することができる。
【００４２】
また、上記実施形態および変形例１〜３の浴室用滑り止めマットは、第１の態様の浴室用滑り止めマットの特徴に加えて、以下に示す付加的な特徴を有する。延出部２０の各々の各辺は、隣り合う凸部２の対向する辺に対して平行に形成されている。以下、この浴室用滑り止めマットを第２の態様の浴室用滑り止めマットという。
【００４３】
第２の態様の浴室用滑り止めマットによれば、排水溝４を、非一直線状としながらも直線部分を増やすことで、排水溝４にごみや塵等が引っ掛かるのを抑制できる。
【００４４】
また、上記実施形態の浴室用滑り止めマットは、第１又は２の態様の浴室用滑り止めマットの特徴に加えて、以下に示す付加的な特徴を有する。複数の凸部２は、毘沙門亀甲状に形成されている。以下、この浴室用滑り止めマットを第３の態様の浴室用滑り止めマットという。
【００４５】
第３の態様の浴室用滑り止めマットによれば、折り癖を付きにくくすることができる上に、浴室用滑り止めマットの外観を向上させることができる。
【符号の説明】
【００４６】
１      マット本体
２      凸部
２０    延出部
２４    対辺
２５    端辺
４      排水溝
【図１】
2018175668.tif 000003
【図２】
2018175668.tif 000004
【図３】
2018175668.tif 000005
【図４】
2018175668.tif 000006
【図５】
2018175668.tif 000007
【図６】
2018175668.tif 000008